(57)【要約】【課題】画像を投写する投写規模に応じて、出力される音量を適切に制御するプロジェクターを提供する。【解決手段】プロジェクター１００は、入力信号に基づいて生成される画像をスクリーンＳＣに投写する画像投写部２００と、画像に関連付けられた音声を出力する音声出力部１９０と、画像投写部２００がスクリーンＳＣに投写する画像の大きさを取得する投写画像サイズ検出部１５４と、投写画像サイズ検出部１５４が取得した画像の大きさに基づいて音声出力部１９０の出力を制御する音声出力制御部１５０と、を備える。【選択図】図１
2015176020.tif 000002
【特許請求の範囲】
【請求項１】
入力信号に基づいて生成される画像を投写面に投写する投写部と、
前記画像に関連付けられた音声を出力する音声出力部と、
前記投写部が前記投写面に投写する前記画像の大きさを取得する取得部と、
前記取得部が取得した前記画像の大きさに基づいて前記音声出力部の出力を制御する制御部と、を備えることを特徴とする画像投写装置。
【請求項２】
請求項１に記載の画像投写装置において、
前記取得部は、前記投写面に投写された前記画像を撮影し、撮影した前記画像のイメージ像に基づいて前記画像の大きさを取得することを特徴とする画像投写装置。
【請求項３】
請求項１乃至２のいずれかに記載の画像投写装置において、
前記制御部は、前記投写面に投写される前記画像が大きくなるに従って前記音声出力部から出力する音量を上げ、前記画像が小さくなるに従って前記音声出力部から出力する前記音量を下げることを特徴とする画像投写装置。
【請求項４】
請求項１乃至３のいずれか１項に記載の画像投写装置において、
前記投写面までの投写距離を測定する測定部を備え、
前記制御部は、前記測定部が測定した前記投写距離に基づいて前記音声出力部が出力する初期音量を決定することを特徴とする画像投写装置。
【請求項５】
請求項４に記載の画像投写装置において、
前記制御部は、前記初期音量に応じた前記画像の大きさを基準値として決定し、前記取得部が取得した前記画像の大きさと前記基準値との差分に応じて前記音量を決定することを特徴とする画像投写装置。
【請求項６】
請求項１乃至５のいずれか１項に記載の画像投写装置において、
前記制御部は、前記画像の大きさが所定の範囲よりも大きい場合、前記音声出力部の出力が所定の最大値となるように制御し、前記画像の大きさが所定の範囲よりも小さい場合、前記音声出力部の出力が所定の最小値となるように制御することを特徴とする画像投写装置。
【請求項７】
入力信号に基づいて生成される画像を投写面に投写し、前記画像に関連付けられた音声を出力する画像投写装置の制御方法であって、
前記投写面に投写する前記画像の大きさを取得する取得工程と、
前記取得工程で取得した前記画像の大きさに基づいて前記音声の出力を制御する制御工程と、を備えることを特徴とする画像投写装置の制御方法。
【発明の詳細な説明】
【技術分野】
【０００１】
本発明は、画像投写装置および画像投写装置の制御方法に関する。
【背景技術】
【０００２】
光源から射出された光を液晶ライトバルブ等で画像信号に応じて変調し、この変調光を拡大してスクリーンに投写するプロジェクターが知られている。
近年では、下記特許文献１に開示されているように、スピーカーを含む音響装置を内蔵し、コンテンツの画像を投写すると共に、コンテンツの音声を内蔵するスピーカーから設定した音量で出力するプロジェクターが知られている。
【先行技術文献】
【特許文献】
【０００３】
【特許文献１】特開２０１２−１２４５８３号公報
【発明の概要】
【発明が解決しようとする課題】
【０００４】
しかしながら、従来のプロジェクターでは、投写する画像の大きさに依らず、設定した音量で出力するため、例えば、狭い会議室等において数人規模で視聴する場合と、広い会議室において多数で視聴する場合とを１台のプロジェクターで使い分ける場合、音量の設定が都度必要であり、設定処理が煩雑であることに加え、広い会議室で使用していたプロジェクターを狭い会議室に移動してそのまま使用する場合、プロジェクターから出力される突然の大音量により視聴者に対して不快感を与えることがあった。
本発明は、上述の課題に鑑みてなされたものであり、プロジェクターで投写する投写規模に応じて、プロジェクターから出力される音量を適切に制御することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる画像投写装置は、入力信号に基づいて生成される画像を投写面に投写する投写部と、前記画像に関連付けられた音声を出力する音声出力部と、前記投写部が前記投写面に投写する前記画像の大きさを取得する取得部と、前記取得部が取得した前記画像の大きさに基づいて前記音声出力部の出力を制御する制御部と、を備えることを特徴とする。
【０００７】
このような構成によれば、投写面に投写された画像の大きさを取得し、取得した画像の大きさに基づいて音声の出力を制御するため、投写面に投写された画像の大きさに応じた音量で音声を出力できる。
【０００８】
［適用例２］
上記適用例にかかる画像投写装置において、前記取得部は、前記投写面に投写された前記画像を撮影し、撮影した前記画像のイメージ像に基づいて前記画像の大きさを取得することが好ましい。
【０００９】
このような構成によれば、投写面に投写された画像を撮影したイメージ像に基づいて画像の大きさを取得するため、画像の大きさを精度良く取得できる。
【００１０】
［適用例３］
上記適用例にかかる画像投写装置において、前記制御部は、前記投写面に投写される前記画像が大きくなるに従って前記音声出力部から出力する音量を上げ、前記画像が小さくなるに従って前記音声出力部から出力する前記音量を下げることが好ましい。
【００１１】
このような構成によれば、投写面に大きく投写する場合には音量を上げ、投写面に小さく投写する場合には音量を下げることで、投写する環境に応じて音量を調整できる。
【００１２】
［適用例４］
上記適用例にかかる画像投写装置において、前記投写面までの投写距離を測定する測定部を備え、前記制御部は、前記測定部が測定した前記投写距離に基づいて前記音声出力部が出力する初期音量を決定することが好ましい。
【００１３】
このような構成によれば、初期音量を投写距離に基づいて決定できる。
【００１４】
［適用例５］
上記適用例にかかる画像投写装置において、前記制御部は、前記初期音量に応じた前記画像の大きさを基準値として決定し、前記取得部が取得した前記画像の大きさと前記基準値との差分に応じて前記音量を決定することが好ましい。
【００１５】
このような構成によれば、撮影した画像の大きさと初期音量となる画像の大きさとの差分に応じて音量を決定できるため、初期音量を基準として音量を決定できる。
【００１６】
［適用例６］
上記適用例にかかる画像投写装置において、前記制御部は、前記画像の大きさが所定の範囲よりも大きい場合、前記音声出力部の出力が所定の最大値となるように制御し、前記画像の大きさが所定の範囲よりも小さい場合、前記音声出力部の出力が所定の最小値となるように制御することが好ましい。
【００１７】
このような構成によれば、画像の大きさが所定の範囲を超える場合には所定の最大値または最小値とすることで、極端な音量を回避できる。
【００１８】
［適用例７］
本適用例にかかる画像投写装置の制御方法は、入力信号に基づく画像を投写面に投写し、前記入力信号に基づく音声を出力する画像投写装置の制御方法であって、前記投写面に投写する前記画像の大きさを取得する取得工程と、前記取得工程で取得した前記画像の大きさに基づいて前記音声の出力を制御する制御工程と、を備えることを特徴とする。
【００１９】
このような方法によれば、投写面に投写された画像の大きさを取得し、取得した画像の大きさに基づいて音声の出力を制御するため、投写面に投写された画像の大きさに応じた音量で音声を出力できる。
【図面の簡単な説明】
【００２０】
【図１】本発明の実施形態に係るプロジェクターの機能構成を示すブロック図。
【図２】投写画像の大きさと音量との関係を示す図。
【図３】投写ユニットの光学系を模式的に示す図。
【図４】音声出力制御部の処理の流れを示すフローチャート。
【発明を実施するための形態】
【００２１】
以下、本発明の実施形態について図面を参照して説明する。
【００２２】
（実施形態）
以下、本発明の実施形態に係る画像投写装置として、光源から射出された光を入力された画像信号に応じて変調し、この変調光をスクリーン等の投写面に拡大投写して画像を表示するプロジェクター１００について説明する。
図１は、プロジェクター１００の機能構成を示すブロック図である。このプロジェクター１００は、信号入力部１１０、操作部１２０、画像処理部１３０、操作制御部１４０、音声出力制御部１５０、台形歪補正部１６０、投写距離測定部１７０、投写画像撮影部１８０、音声出力部１９０および画像投写部２００を備える。
信号入力部１１０は、各種のフォーマット形式のコンテンツの入力信号（映像信号）を受け付ける。尚、コンテンツは音声が伴う態様を想定し、所定の接続方式で接続されたコンピューターやＤＶＤ再生装置等から出力される態様や、フラッシュメモリーに記憶されたデータを読み取る態様や、インターネット等のネットワークを介して入力される態様を想定する。
信号入力部１１０は、受け付けた映像信号のデータから画像データと音声データとを分離し、画像データを画像処理部１３０に出力すると共に、音声データを音声出力制御部１５０に出力する。尚、本実施形態では、音声データは、映像信号に画像データと共に含まれる態様を想定するが、これには限定されない。例えば、画像データと関連付けられ、プロジェクター１００が記憶する音声データや、メモリーカードまたはネットワーク等を介して供給される音声データも想定できる。
【００２３】
画像処理部１３０は、画像データに対して階調補正、色補正および倍率補正等の画像処理を操作制御部１４０からの指示に基づいて施し、投写ユニット２５０で投写可能な画像の画像信号を生成する。生成された画像信号は台形歪補正部１６０に送られる。尚、プロジェクター１００が実行する画像処理についての詳細な説明は、例えば、特開２０１０−１８１８０７号公報に公開されている。
台形歪補正部１６０は、プロジェクター１００が傾いて設置された場合に、投写して表示させる表示画像に対して台形補正を行う。本実施形態では、スクリーンＳＣに表示された表示画像を投写画像撮影部１８０が撮影し、台形歪補正部１６０は投写画像撮影部１８０から出力される撮像データに基づいて画像信号を補正する。例えば、画像信号は、スクリーンＳＣに表示された場合、画像の台形歪がより小さくなるように補正される。
尚、台形歪補正部１６０により補正された補正情報は、必要に応じて音声出力制御部１５０に出力される。
尚、画像処理部１３０における種々の画像処理や、台形歪補正部１６０による台形歪の補正は、ユーザーが操作部１２０の操作を介して指示した情報に基づいて操作制御部１４０が指示するように構成されている。
【００２４】
投写画像撮影部１８０は、スクリーンＳＣに表示される投写画像を撮影し、撮影により得られる投写画像の画像データを音声出力制御部１５０および台形歪補正部１６０に出力する。本実施形態では、投写画像撮影部１８０は、プロジェクター１００に内蔵されたＣＣＤカメラを想定する。
投写距離測定部１７０は、プロジェクター１００からスクリーンＳＣまでの投写距離を測定し、測定により得られる投写距離の情報を音声出力制御部１５０に出力する。本実施形態では、投写距離測定部１７０は、プロジェクター１００に内蔵された光学式センサーによる測定や、規定の大きさの画像を投写し、投写した画像をＣＣＤカメラで撮影して距離を算出する態様を想定する。
音声出力制御部１５０は、投写画像撮影部１８０から出力される投写画像の画像データ、投写距離測定部１７０から出力される投写距離の情報および台形歪補正部１６０から出力される補正情報等に基づいて、信号入力部１１０から出力された音声データを再生する場合の音量（ボリュームレベル）を決定し、決定した音量で音声出力部１９０を駆動させる。本実施形態では、音声出力部１９０はスピーカーシステムを想定する。
音声出力制御部１５０は、初期音量決定部１５２、投写画像サイズ検出部１５４および出力音量決定部１５６を備える。これらの機能について、投写画像の大きさと音量との関係を示す図２も参照して説明する。
【００２５】
初期音量決定部１５２は、コンテンツの投写を開始する場合、投写距離測定部１７０が測定した投写距離の情報の情報に基づいて初期音量を決定する。本実施形態では、投写距離と初期音量との関係がプロジェクター１００にテーブルとして記憶されている態様を想定し、初期音量決定部１５２は、テーブルを参照して投写距離に応じた初期音量を決定する。これにより、コンテンツの投写開始時においては、初期音量決定部１５２が決定した初期音量で音声出力部１９０が動作する。
投写画像サイズ検出部１５４は、コンテンツの投写開始時における投写画像を最初の基準画像とし、投写画像撮影部１８０が撮影した画像データから最初の基準画像の大きさを算出し、算出した画像の大きさ（基準値）と初期音量とを関連付ける。
【００２６】
更に、投写画像サイズ検出部１５４は、所定の時間間隔で投写画像撮影部１８０が撮影したイメージ像の画像データを取得し、最初の基準画像を基準として投写画像の大きさとの差分（変化量）を検出する。この投写画像サイズ検出部１５４は取得部に相当する。
出力音量決定部１５６は、投写画像サイズ検出部１５４が検出した画像の大きさの変化量に基づいて、音声出力部１９０から出力する音量を決定する。
例えば、図２に示すように、撮影した投写画像の大きさＬＸが最初の基準画像よりも大きくなった場合、増加分に比例して初期音量よりも大きい音量ＶＸを決定し、撮影した投写画像を次の基準画像として、次回の変化量検出時の基準とする。
このように、投写画像の大きさが所定の範囲（Ｌ１以上かつＬ２以下）の場合、音量は所定の比例係数に基づいて変化する。尚、所定の比例係数は図２のような一定値であっても良く、また、ユーザーが設定したユニークな係数や離散値としてテーブルで保持する態様も想定できる。
【００２７】
また、出力音量決定部１５６は、台形歪補正部１６０から補正情報が出力された場合、歪が補正された投写画像の大きさが変化したことを考慮して音声出力部１９０で出力する音量を決定する。
また、本実施形態では、音量の最大値及び最小値を設定した態様を想定している。即ち、投写画像の大きさがＬ１よりも小さい場合、音量はＬ１における音量Ｖ１が維持される。同様に、投写画像の大きさがＬ２よりも大きい場合、音量はＬ２における音量Ｖ２が維持される。
尚、本実施形態では、撮影した投写画像の大きさ、即ち、面積変化に基づいて音量を決定したが、これには限定されない。例えば、投写画像の大きさと関連付け可能な投写画像の対角線の大きさの変化や、投写距離の変化に基づいて音量を決定する態様も想定できる。
画像投写部（投写部）２００は、ランプ駆動部２１０、ライトバルブ駆動部２２０および投写ユニット２５０を備える。
ランプ駆動部２１０は、操作制御部１４０から出力される駆動指示に基づいて、投写ユニット２５０の光源装置２５５の駆動を制御する。
ライトバルブ駆動部２２０は、画像処理部１３０が生成した画像信号、または、その画像信号が台形補正された画像信号に基づいて、光変調装置２８０を駆動するための駆動信号を出力する。
【００２８】
投写ユニット２５０は、ライトバルブ駆動部２２０から出力される駆動信号に基づいて変調光を生成し、生成した変調光をスクリーンＳＣに拡大投写する。
ここで、図３は投写ユニット２５０の光学系を模式的に示す図であり、この図２を参照して光学系の概略構成を説明する。
投写ユニット２５０の光学系の機能は光学系ユニット２５１として構成されている。光学系ユニット２５１は、光学部品用筐体２５２、光源装置２５５、照明光学装置２６０、色分離光学装置２６５、リレー光学装置２７０、光変調装置２８０および投写光学装置２９０を備えている。これらの各装置を構成する光学部品は光学部品用筐体２５２に収納されている。
【００２９】
光源装置２５５は、光束を射出する発光管２５６およびリフレクター２５７を備えている。光源装置２５５は、発光管２５６から射出された光束をリフレクター２５７で反射させて射出方向を揃え、照明光学装置２６０に向けて射出する。尚、照明光軸ＯＣは、光源装置２５５から被照明領域側に射出される光束の中心軸である。
照明光学装置２６０はレンズアレイ２６１，２６２、偏光変換素子２６３、重畳レンズ２６４およびフィールドレンズ２６９を備え、光源装置２５５から射出された光束に対し、照明光軸ＯＣと直交する面内での照度を均一化する機能を有する。
色分離光学装置２６５はダイクロイックミラー２６６，２６７や反射ミラー２６８を備え、照明光学装置２６０から射出された光束を、赤色（Ｒ）光、緑色（Ｇ）光および青色（Ｂ）光の３色の色光に分離して３つの液晶装置２８５Ｒ，２８５Ｇ，２８５Ｂに導光する。
リレー光学装置２７０は入射側レンズ２７２、リレーレンズ２７６および反射ミラー２７４，２７８を備える。このリレー光学装置２７０は、色分離光学装置２６５で分離された色光（本実施形態ではＢ光）に対し、光路の長さが他の色光の光路の長さよりも長くなるため、光の発散などによる光の利用効率の低下を防止し、液晶装置２８５（本実施形態では液晶装置２８５Ｂ）まで導く。
【００３０】
光変調装置２８０は、３つの入射側偏光板２８４の液晶装置２８５Ｒ，２８５Ｇ，２８５Ｂ、３つの射出側偏光板２８６およびクロスダイクロイックプリズム２８８を備える。液晶装置２８５Ｒ，２８５Ｇ，２８５Ｂは、色分離光学装置２６５で分離された各色光を駆動信号に応じて変調する。クロスダイクロイックプリズム２８８は、液晶装置２８５Ｒ，８５Ｇ，８５Ｂにより変調された各色光を合成し、投写光学装置２９０側に射出する。
投写光学装置２９０は投写レンズ２９２を備える。この投写光学装置２９０は、光変調装置２８０で変調され合成された光束を、投写レンズ２９２で拡大しスクリーンＳＣに投写する。この結果、入力された画像信号に基づいた投写画像はスクリーンＳＣに表示される。尚、投写レンズ２９２は、焦点距離が一定の光学系であっても良く、また、ユーザーが操作することで焦点距離を連続的に変更可能な光学系であっても良い。
図４は、音声出力制御部１５０の処理の流れを示すフローチャートである。最初に、音声出力制御部１５０は、コンテンツの投写が開始される場合、プロジェクター１００とスクリーンＳＣとの投写距離を算出し（ステップＳ３００）、算出した投写距離に応じて初期音量を決定する（ステップＳ３０２）。
【００３１】
次に、音声出力制御部１５０は、撮影した投写画像を最初の基準画像とする（ステップＳ３０４）。
次に、音声出力制御部１５０は、初期音量でコンテンツの再生を開始する（ステップＳ３０６）。
次に、音声出力制御部１５０は、撮影した投写画像と基準画像とを比較し（ステップＳ３０８）、投写画像の大きさが変化したか、否かを判定する（ステップＳ３１０）。
ここで、投写画像の大きさが変化しないと判定した場合（ステップＳ３１０でＮｏ）、ステップＳ３１７に進む。
他方で、投写画像の大きさが変化したと判定した場合（ステップＳ３１０でＹｅｓ）、音声出力制御部１５０は投写画像が大きくなったか、否かを判定する（ステップＳ３１２）。
ここで、投写画像が大きくなったと判定した場合（ステップＳ３１２でＹｅｓ）、音声出力制御部１５０は、音声出力部１９０から出力する音声を投写画像の変化分に応じて大きくし（ステップＳ３１４）、ステップＳ３１７に進む。
他方で、投写画像が小さくなったと判定した場合（ステップＳ３１２でＮｏ）、音声出力制御部１５０は、音声出力部１９０から出力する音声を投写画像の変化分に応じて小さくし（ステップＳ３１６）、ステップＳ３１７に進む。
【００３２】
ステップＳ３１７では、音声出力制御部１５０は投写画像を次の基準画像とする。
次に、音声出力制御部１５０は、コンテンツの再生が終了したか、否かを判定し（ステップＳ３１８）、コンテンツの再生が終了していないと判定した場合（ステップＳ３１８でＮｏ）、ステップＳ３０８に戻り、投写画像の変化に応じた音声出力の制御を継続する。
他方で、コンテンツの再生が終了したと判定した場合（ステップＳ３１８でＹｅｓ）、一連の処理を終了する。
【００３３】
以上述べた実施形態によれば、以下のような効果を奏する。
（１）投写画像の大きさを検出し、投写画像の大きさに応じて出力する音量を設定するため、投写規模の変化に応じて音量を適切に調整できる。
（２）投写を開始する前にスクリーンＳＣまでの投写距離を測定し、測定した投写距離に基づいて初期音量を決定するため、視聴者に対して不快感を与えない音量で投写を開始できる。
【００３４】
以上のような手法を実施する装置は、単独の装置によって実現される場合もあれば、複数の装置を組み合わせることによって実現される場合もあり、各種の態様を含むものである。例えば、光源は固体光源等であっても良く、光変調装置はＤＭＤであっても良い。
尚、実施形態における各構成およびそれらの組み合わせは一例であり、本発明の趣旨から逸脱しない範囲内で、構成要素の付加、省略、置換およびその他の変更が可能である。また、本発明は実施形態により限定されるものではなく、クレームの範囲によってのみ限定される。
【符号の説明】
【００３５】
１００…プロジェクター、１１０…信号入力部、１２０…操作部、１３０…画像処理部、１４０…操作制御部、１５０…音声出力制御部、１５２…初期音量決定部、１５４…投写画像サイズ検出部、１５６…出力音量決定部、１６０…台形歪補正部、１７０…投写距離測定部、１８０…投写画像撮影部、１９０…音声出力部、２００…画像投写部、２１０…ランプ駆動部、２２０…ライトバルブ駆動部、２５０…投写ユニット、２５１…光学系ユニット、２５２…光学部品用筐体、２５５…光源装置、２５６…発光管、２５７…リフレクター、２６０…照明光学装置、２６１，２６２…レンズアレイ、２６３…偏光変換素子、２６４…重畳レンズ、２６５…色分離光学装置、２６６，２６７…ダイクロイックミラー、２６８…反射ミラー、２６９…フィールドレンズ、２７０…リレー光学装置、２７２…入射側レンズ、２７４，２７８…反射ミラー、２７６…リレーレンズ、２８０…光変調装置、２８４…入射側偏光板、２８５…液晶装置、２８５Ｂ…液晶装置、２８５Ｒ…液晶装置、２８６…射出側偏光板、２８８…クロスダイクロイックプリズム、２９０…投写光学装置、２９２…投写レンズ。
【図１】
2015176020.tif 000003
【図２】
2015176020.tif 000004
【図３】
2015176020.tif 000005
【図４】
2015176020.tif 000006